(57)【要約】【課題】ロボットアクチュエータとともに使用するように構成されているケーブル保持装置を提供すること。【解決手段】ケーブル保持装置（１０）はロボットアクチュエータとともに使用するように構成されている。ケーブル保持装置（１０）は、長手方向軸線（１１６）を画成している概ね円筒形状の本体（１１４）を有する。本体（１１４）の中央部分（１１８）は、本体（１１４）の全長に沿って長手方向に延在しているケーブル（１１２）を受けるように構成されている通路（１２０）を画成している。本体（１１４）の遠位部分（１２４）は、長手方向軸線（１１６）周りに径方向に延在しているスロット（１２６）を画成している。またケーブル保持装置（１０）は、スロット（１２６）内に配設された、ケーブル保持装置（１０）を径方向に囲むケーブル保持バンド（１３２）を有する。【選択図】図１
2019007620.tif 000002
【特許請求の範囲】
【請求項１】
ロボットアクチュエータとともに使用するように構成されているケーブル保持装置（１０）であって、
長手方向軸線（１１６）を画成している概ね円筒形状の本体（１１４）を備えており、
前記本体（１１４）の中央部分（１１８）が、前記本体（１１４）の全長に沿って長手方向に延在しているケーブル（１１２）を受けることができるように構成されている通路（１２０）を画成しており、
前記本体（１１４）の遠位部分（１２４）が、前記長手方向軸線（１１６）を中心として径方向に延在しているスロット（１２６）を画成しており、
前記ケーブル保持装置（１０）は、また、前記ケーブル保持装置（１０）を径方向に囲むことができるように構成されている、前記スロット（１２６）内に配設されたケーブル保持バンド（１３２）を備えている、ケーブル保持装置（１０）。
【請求項２】
請求項１に記載のケーブル保持装置（１０）において、
前記ケーブル保持バンド（１３２）が、ヘッド（１３６）と、そこから延在している細長いテール（１３８）とを有するケーブルタイ（１３４）であり、
前記ヘッド（１３６）が、前記テール（１３８）の一部分を受けることができるように構成されており、
前記ヘッド（１３６）が、前記本体（１１４）と一体となっている、ケーブル保持装置（１０）。
【請求項３】
請求項１に記載のケーブル保持装置（１０）において、
前記本体（１１４）が、前記本体（１１４）の外表面（１４２）に沿って前記長手方向軸線（１１６）に概ね平行に延在している複数の隆起部（４０）を有している、ケーブル保持装置（１０）。
【請求項４】
請求項３に記載のケーブル保持装置（１０）において、
前記複数の隆起部（４０）が、少なくとも０．５ミリメートルの距離にわたって前記外表面（１４２）を越えて延在している、ケーブル保持装置（１０）。
【請求項５】
請求項１に記載のケーブル保持装置（１０）において、
前記通路（１２０）が、前記外表面（１４２）から延在しているＵ字形状（２２）のチャネルとして特徴付けられる、ケーブル保持装置（１０）。
【請求項６】
請求項１に記載のケーブル保持装置（１０）において、
前記本体（１１４）が、
前記本体（１１４）の第１の端部（１２８）から径方向に延在している第１のフランジ（４６）と、
前記本体（１１４）の第２の端部（１３０）から径方向に延在している第２のフランジ（４８）とを有しており、
前記第１のフランジ（４６）および前記第２のフランジ（４８）が、少なくとも１．０ミリメートルの距離だけ、前記本体（１１４）の外表面（１４２）を越えて延在している、ケーブル保持装置（１０）。
【請求項７】
請求項１に記載のケーブル保持装置（１０）において、
前記本体（１１４）は、
下側シェル（１５２）と、
前記下側シェル（１５２）に第１のヒンジ（１５６）によって取り付けられた第１の上側シェル（１５４）と、
前記下側シェル（１５２）に第２のヒンジ（１６０）によって取り付けられた第２の上側シェル（１５８）とを有しており、
前記下側シェル（１５２）が、前記通路（１２０）の第１の部分（１６２）を画成しており、
前記第１の上側シェル（１５４）と前記第２の上側シェル（１５８）の両方が、前記通路（１２０）の第２の部分（１６４）を画成している、ケーブル保持装置（１０）。
【請求項８】
請求項７に記載のケーブル保持装置（１０）において、
前記ケーブル保持バンド（１３２）が、ヘッド（１３６）と、そこから延在している細長いテール（１３８）とを有するケーブルタイ（１３４）であり、
前記ヘッド（１３６）が、前記テール（１３８）の一部分を受けることができるように構成されており、
前記ヘッド（１３６）が、前記本体（１１４）と一体となっている、ケーブル保持装置（１０）。
【請求項９】
請求項７に記載のケーブル保持装置（１０）において、
前記スロット（１２６）は、前記本体（１１４）の外表面（１４２）から前記通路（１２０）へ延在している、ケーブル保持装置（１０）。
【請求項１０】
請求項７に記載のケーブル保持装置（１０）において、
前記第１の上側シェル（１５４）と前記第２の上側シェル（１５８）の両方が、ロックタブ（１６６）を有しており、前記ロックタブ（１６６）は、前記第１のヒンジ（１５６）と前記第２のヒンジ（１６０）の両方の反対側で前記下側シェル（１５２）に位置付けられた対応するロック傾斜部（１６８）に係合する、ケーブル保持装置（１０）。
【請求項１１】
請求項１に記載のケーブル保持装置（１０）において、
前記本体（１１４）は、外表面（１４２）上に複数の矩形ファセット（１７０）を有しており、それぞれの矩形ファセット（１７０）の長軸線が、前記長手方向軸線（１１６）にほぼ平行である、ケーブル保持装置（１０）。
【請求項１２】
ケーブルアセンブリ（１５０）であって、該ケーブルアセンブリ（１５０）は、
ケーブル（１１２）と、
請求項１に記載の前記ケーブル保持装置（１０）と
を備えており、
前記ケーブル（１１２）が、前記通路（１２０）内で受けられ、前記ケーブル保持バンド（１３２）が前記ケーブル保持装置（１０）を囲む、ケーブルアセンブリ（１５０）。
【発明の詳細な説明】
【技術分野】
【０００１】
関連出願の相互参照
[0001]本願は、２０１７年６月２７日に出願された米国特許出願第１５／６３４，２９１号の優先権を主張し、その開示全体は、参照により本願に組み込まれる。
【０００２】
[0002]本開示は、全体的にケーブル保持装置に関し、より詳細には、ロボットアクチュエータとともに使用するように構成されているケーブル保持装置に関する。
【背景技術】
【０００３】
[0003]基板に取り付けられたクリップを使用して電気配線を保持することは公知である。クリップは固定具に取り付けられていてもよく、またはクリップは、例えば「もみの木型」または「バラのつぼみ型」などの一体式固定装置を有していてもよい。公知の保持装置は、クリップを基板に付けるのに、電気配線の長手方向軸線周りで特定の配向を必要とし、そのことが、これらの装置を自動組立工程には困難なものにしている。配線ハーネスを車両に設置することは、典型的には工数のかかる工程である。配線ハーネスに取り付けられている典型的な装着構造部は、特に装着穴または装着スタッドとの回転位置合わせが必要な場合には、人の手先の器用さによって益を得る。これらの位置合わせは、人と同じ時間量内でロボットが行うのは困難である。
【０００４】
[0004]背景技術セクションで検討された要旨は、単に背景技術セクションでの従来技術の言及の結果としての従来技術であると仮定されるべきではない。同様に、背景技術セクションで言及された問題点、または背景技術セクションの要旨と関連した問題点は、従来技術でこれまでに認識された問題点であると仮定されるべきではない。背景技術セクションにおける要旨は、異なるアプローチを単に示すだけであり、これらもそれ自体で発明であり得る。
【発明の概要】
【課題を解決するための手段】
【０００５】
[0005]一実施形態によれば、ロボットアクチュエータとともに使用するように構成されているケーブル保持装置が提供される。ケーブル保持装置は、長手方向軸線を画成している概ね円筒形状の本体を含んでいる。本体の中央部分は、本体の全長に沿って長手方向に延在しているケーブルを受けるように構成されている通路を画成している。本体の遠位部分は、長手方向軸線周りに径方向に延在しているスロットを画成している。またケーブル保持装置は、スロット内に配設された、ケーブル保持装置を径方向に囲むように構成されているケーブル保持バンドを含んでいる。
【０００６】
[0006]ケーブル保持バンドは、ヘッドと、そこから延在している細長いテールとを有するケーブルタイであってもよい。ヘッドは、テールの一部分を受けるように構成されている。ヘッドは、本体と一体であってもよい。スロットは、本体の外表面から通路へ延在していてもよい。
【０００７】
[0007]本体は、本体の外表面に沿って長手方向軸線に概ね平行に延在している複数の隆起部を含んでいてもよい。複数の隆起部は、少なくとも０．５ミリメートルの距離にわたって外表面を越えて延在していてもよい。その代わりに、またはそれに加えて、本体は、外表面上に複数の矩形ファセットを含んでいてもよい。それぞれの矩形ファセットの長軸線は、長手方向軸線に概ね平行である。
【０００８】
[0008]通路は、外表面から延在しているＵ字形状のチャネルとして特徴付けられてもよい。その代わりに、本体は、下側シェルと、下側シェルに第１のヒンジによって取り付けられた第１の上側シェルと、下側シェルに第２のヒンジによって取り付けられた第２の上側シェルとを有していてもよい。下側シェルは、通路の第１の部分を画成しており、第１の上側シェルと第２の上側シェルの両方は、通路の第２の部分を画成している。第１の上側シェルと第２の上側シェルの両方は、第１のヒンジと第２のヒンジの両方の反対側で下側シェルに位置付けられた対応するロック傾斜部に係合するロックタブを含んでいてもよい。
【０００９】
[0009]本体は、本体の第１の端部から径方向に延在している第１のフランジと、本体の第２の端部から径方向に延在している第２のフランジとを含んでいてもよい。第１のフランジおよび第２のフランジは、少なくとも１．０ミリメートルの距離だけ、本体の外表面を越えて延在していてもよい。
【００１０】
[0010]別の実施形態では、ケーブルアセンブリが提供される。ケーブルアセンブリは、ケーブルと、ケーブル保持装置とを含んでいる。ケーブル保持装置は、長手方向軸線を画成している概ね円筒形状の本体を含んでいる。本体の中央部分は、本体の全長に沿って長手方向に延在しているケーブルを受けるように構成されている通路を画成している。本体の遠位部分は、長手方向軸線周りに径方向に延在しているスロットを画成している。またケーブル保持装置は、スロット内に配設された、ケーブル保持装置を径方向に囲むように構成されているケーブル保持バンドを含んでいる。ケーブルは、通路内に受けられる。
【００１１】
[0011]さらなる特徴および利点は、単なる非限定的な例として添付図面を参照しながら与えられる好ましい実施形態の以下の詳細な記述を読むことにより、より明らかになろう。
【００１２】
[0012]ここで例として添付図面を参照しながら、本発明が記述される。
【図面の簡単な説明】
【００１３】
【図１】[0013]一実施形態によるケーブル保持装置の図である。
【図２】[0014]別の実施形態によるケーブル保持装置の図である。
【図３】[0015]さらに別の実施形態による、図１のケーブル保持装置を有するケーブルアセンブリの斜視図である。
【図４Ａ】[0016]さらに別の実施形態による、図２のケーブル保持装置を有する別のケーブルアセンブリの斜視図である。
【図４Ｂ】[0017]さらに別の実施形態による、図４Ａのケーブルアセンブリの正面図である。
【図４Ｃ】[0018]さらに別の実施形態による、図４Ａのケーブルアセンブリの背面図である。
【図５Ａ】[0019]一実施形態による図３のケーブルアセンブリを保持する取付け機構の図である。
【図５Ｂ】[0020]別の実施形態による、図４Ａのケーブルアセンブリを保持する別の取付け機構の図である。
【図５Ｃ】[0021]さらに別の実施形態による、図４Ａのケーブルアセンブリを保持するさらに別の取付け機構の図である。
【発明を実施するための形態】
【００１４】
[0022]様々な図に示された実施形態において、同様の要素の参照符号は下２桁が共通である。
[0023]本明細書では、ロボットによる設置工程で使用するための、特有の（一意の）回転位置合わせを必要としないケーブル保持装置が記述される。それに加えて、ケーブル保持装置は、ロボットによる設置工程に付随し得る視覚システムによって容易に照準合わせされ得、ロボットによる設置のために配線ハーネスの特定の支線を認識することを、さらに改善する。
【００１５】
[0024]図１は、ロボットアクチュエータとともに使用するように構成されているケーブル保持装置１０（これ以降、装置１０と呼ばれる）の非限定的な例を示している。以下でより詳細に記述されるように、ワイヤハーネス（図示せず）を車両（図示せず）に設置するのに、ロボットアクチュエータは、ケーブル１２（図３を参照）を中心として（または、ケーブル１２の周りに）特有の（一意の）回転で装置１０を配向する必要がないことから、装置１０は他のケーブル保持装置よりも改善されている。装置１０は、長手方向軸線１６を画成している概ね円筒形状の本体１４を有している。本体１４は、ポリアミドなどのポリマー材料から成ってもよい。
【００１６】
[0025]本体１４の中央部分１８（すなわち中心部分、中間部分など）は、本体１４の全長に沿って長手方向に延在しているケーブル１２を受けるように構成されている通路２０を画成している。通路２０は、外表面４２から中央部分１８へ内向きに延在しているＵ字形状２２のチャネルとして特徴付けられてもよい。チャネルの他の形状も考えられるが、示されておらず、正方形、矩形、又はＶ字形状としても良い。図１に示されている非限定的な例では、チャネルのＵ字形状２２部分の半径（図示せず）は、３．５ｍｍである。半径は、ケーブル１２を受けるのに必要な任意の半径とすることができる。
【００１７】
[0026]本体１４の遠位部分２４は、本体１４の長手方向軸線１６周りに径方向に延在しているスロット２６を画成している。スロット２６は、好ましくは、本体１４の第１の端部２８と本体１４の第２の端部３０との間で中央に位置付けられてもよく、または中央位置からずれていてもよい。スロット２６は、好ましくは、以下で説明されるようにチャネルに向かって開口しており、ケーブル保持バンド３２において終端している。
【００１８】
[0027]装置１０は、スロット２６内に配設されたケーブル保持バンド３２も有している。ケーブル保持バンド３２は、装置１０を径方向に囲んでケーブル１２を保持するように構成されている。ケーブル保持バンド３２は、本体１４のポリマー材料と同様のポリマー材料から成ってもよく、ヘッド３６と、ヘッド３６から延在している細長いテール３８とを有するケーブルタイ３４とすることができる。ヘッド３６は、本体１４と一体であってもよく、テール３８の一部分を受けるように構成されており、テール３８がケーブル１２に強く接触するように、テール３８は、ヘッド３６を通って引っ張られてもよい。
【００１９】
[0028]本体１４は、本体１４の外表面４２に沿って長手方向軸線１６に概ね平行に延在している複数の隆起部４０を有してもよい。複数の隆起部４０は、好ましくは、少なくとも０．５ミリメートル（０．５ｍｍ）の距離にわたって、外表面４２を越えて延在していてもよい。図１に示されている非限定的な例では、複数の隆起部４０は、外表面４２を越えて１．０ｍｍの距離にわたって延在しており、頂点間の間隔２．１ｍｍを有している。複数の隆起部４０が外表面４２を越えて延在している距離、および複数の隆起部４０の間隔は、装置１０を保持するために使用される取付け機構４４Ａ〜４４Ｃ（図５Ａ〜図５Ｃを参照）に基づいて、調節されてもよい。
【００２０】
[0029]本体１４は、本体１４の第１の端部２８から径方向に延在している第１のフランジ４６と、本体１４の第２の端部３０から径方向に延在している第２のフランジ４８とを有しても。第１のフランジ４６と第２のフランジ４８の両方は、本体１４の外表面４２を少なくとも１．０ｍｍの距離だけ越えて延在していてもよい。第１のフランジ４６および第２のフランジ４８は、概ねディスク形状の輪郭を有していてもよく、または図１に示されるように、角のある輪郭を有していてもよい。輪郭は、ロボットアクチュエータ（図示せず）に組み込まれた視覚システムの照準合わせを補助するように構成されてもよい。図１の非限定的な例では、第１のフランジ４６と第２のフランジ４８の両方は、複数の隆起部４０を約１．３ｍｍの距離だけ越えて延在している。
【００２１】
[0030]図２は、ケーブル保持装置１１０（これ以降、装置１１０と呼ばれる）の別の実施形態の非限定的な例を示している。装置１１０は、長手方向軸線１１６を画成している概ね円筒形状の本体１１４を有している。本体１１４は、ポリアミドなどのポリマー材料から成ってもよい。本体１１４は、下側シェル１５２と、第１のヒンジ１５６によって下側シェル１５２に取り付けられた第１の上側シェル１５４と、第２のヒンジ１６０によって下側シェル１５２に取り付けられた第２の上側シェル１５８とを有している。下側シェル１５２は、通路１２０の第１の部分１６２を画成しており、第１の上側シェル１５４と第２の上側シェル１５８の両方が、通路１２０の第２の部分１６４を画成している。第１の上側シェル１５４と第２の上側シェル１５８の両方が、第１のヒンジ１５６の反対側と第２のヒンジ１６０の反対側の両方で下側シェル１５２に位置付けられている対応するロック傾斜部１６８に係合するロックタブ１６６を有している。装置１１０は、図４に示されるように、ロックタブ１６６が、対応するロック傾斜部１６８にロックされたときに、ケーブル１１２を覆うように構成されている。
【００２２】
[0031]図２に戻ると、本体１１４の中央部分１１８（すなわち中心部分、中間部分など）は、本体１１４の全長に沿って長手方向に延在しているケーブル１１２を受けるように構成されている通路１２０を画成している。通路１２０は、円筒形状のチャネルとして特徴付けられてもよい。チャネルの他の形状が考えられるが、示されておらず、正方形、矩形、又は三角形状としてもよい。図２に示されている非限定的な例では、チャネルの半径は、３．５ｍｍである。半径は、ケーブル１１２を受けるのに必要な任意の半径とすることができる。
【００２３】
[0032]本体１１４の遠位部分１２４は、本体１１４の長手方向軸線１１６周りに径方向に延在しているスロット１２６を画成している。スロット１２６は、本体１１４の外表面１４２（図４を参照）から通路１２０へ延在している。スロット１２６は、好ましくは、本体１１４の第１の端部１２８と本体１１４の第２の端部１３０との間で中央に位置付けられてもよく、または中央位置からずれていてもよい。スロット１２６は、好ましくは、以下で説明されるようにチャネルに向かって開口しており、ケーブル保持バンド１３２において終端している。
【００２４】
[0033]本体１１４は、外表面１４２上に複数の矩形ファセット（矩形の小面又は矩形の切子面）１７０を有してもよい（図４を参照）。各矩形ファセット１７０の長軸線（具体的には図示されていない）は、長手方向軸線１１６に概ね平行である。図４に示されている非限定的な例では、複数の矩形ファセット１７０はそれぞれ、２．１ｍｍの寸法の短軸線（具体的には図示されていない）を有している。
【００２５】
[0034]装置１１０は、スロット１２６内に配設されたケーブル保持バンド１３２も有している。ケーブル保持バンド１３２は、装置１１０を径方向に囲んでケーブル１１２を保持するように構成されている。ケーブル保持バンド１３２は、本体１１４のポリマー材料と同様のポリマー材料から成ってもよく、ヘッド１３６と、ヘッド１３６から延在している細長いテール（換言すれば、細長い尾部）１３８とを有するケーブルタイ１３４とすることができる。ヘッド１３６は、本体１１４と一体であってもよく、テール１３８の一部分を受けるように構成されており、テール１３８がケーブル１１２に強く接触するように、テール１３８は、ヘッド１３６を通って引っ張られてもよい。
【００２６】
[0035]図３は、ケーブル１２と上述した装置１０とを有するケーブルアセンブリ５０の非限定的な例を示している。ケーブル１２は、中実ワイヤ、マルチストランドワイヤ、またはマルチワイヤ束ケーブル１２であってもよい。ケーブル１２は、外側面に絶縁層を有してもよい（具体的には図示されていない）。ケーブル１２は、通路２０内で受けられ得る任意の直径とすることができる。図３に示されている非限定的な例では、ケーブルアセンブリ５０は、約２．０ｍｍ〜約７．０ｍｍの範囲のケーブル１２の直径を受け入れることができる。ケーブル１２は通路２０内に受けられ、テール３８が、ケーブル１２に強く接触するようにヘッド３６を通って引っ張られたときに、ケーブル保持バンド３２が装置１０を囲んでケーブル１２を保持する。ケーブルアセンブリ５０は、車両に設置されるより大きな配線ハーネスの一部分であってもよく、その配線ハーネスは、配線ハーネスに沿って様々な点に位置付けられる複数の装置１０を有しても良い。ロボットアクチュエータは、それぞれ図５Ａ〜図５Ｃに示されている取付け機構４４Ａ〜４４Ｃを使用して、ケーブルアセンブリ５０をハンドリングし、配線ハーネスを車両に設置することができる。
【００２７】
[0036]図４Ａは、ケーブル１１２と上述した装置１１０とを有する別のケーブルアセンブリ１５０の非限定的な例を示している。ケーブル１１２は、中実ワイヤ、マルチストランドワイヤ、またはマルチワイヤ束ケーブル１１２であってもよい。ケーブル１１２は、外側面に絶縁層を有しても良い（具体的には図示されていない）。ケーブル１１２は、通路１２０内で受けられ得る任意の直径とすることができる。図４Ａに示されている非限定的な例では、ケーブルアセンブリ１５０は、約２．０ｍｍ〜約７．０ｍｍの範囲のケーブル１１２の直径を受け入れることができる。ケーブル１１２は通路１２０内に受けられ、テール１３８（図４Ｂの正面図を参照）が、ケーブル１１２に強く接触するようにヘッド１３６（図４Ｃの背面図を参照）を通って引っ張られたときに、ケーブル保持バンド１３２が装置１１０を囲んでケーブル１１２を保持する。ケーブルアセンブリ１５０は、車両に設置されるより大きな配線ハーネスの一部分であってもよく、その配線ハーネスは、配線ハーネスに沿って様々な点に位置付けられる複数の装置１１０を有しても良い。ロボットアクチュエータは、それぞれ図５Ａ〜図５Ｃに示されている取付け機構４４Ａ〜４４Ｃを使用して、ケーブルアセンブリ１５０をハンドリングし、配線ハーネスを車両に設置することができる。
【００２８】
[0037]図５Ａ〜図５Ｃは、それぞれ取付け機構４４Ａ〜４４Ｃを示している。取付け機構４４Ａは、装置１０の複数の隆起部４０に係合するねじ切りされた柱状取付け部を示している。取付け機構４４Ｂは、装置１１０の複数の矩形ファセット１７０に係合するクリップ状取付け部を示している。取付け機構４４Ｃは、装置１１０の複数の矩形ファセット１７０の一部分に係合する接着取付け部を示している。取付け機構４４Ａ〜４４Ｃのそれぞれは、ケーブルアセンブリ５０〜１５０のそれぞれとともに使用されてもよい。
【００２９】
[0038]本明細書において提示されている例は、電気ケーブルを対象としている。しかし、光ケーブル、または電気ケーブルと光ケーブルの両方を有するハイブリッドケーブルとともに使用されるように適合されたケーブル保持装置１０の他の実施形態が考えられてもよい。空気管もしくは油圧管、または被覆制御ケーブルを設置するように構成されているケーブル保持装置１０のさらに他の実施形態が考えられてもよい。
【００３０】
[0039]したがって、ロボットアクチュエータとともに使用するように構成されているケーブル保持装置１０、およびケーブルアセンブリ５０が提供される。ワイヤハーネスを車両に設置するのに、ロボットアクチュエータは、ケーブル１２周りの特有の（一意の）回転で装置１０を配向する必要がないことから、ケーブル保持装置１０は、他のケーブル保持装置よりも改善されている。
【００３１】
[0040]本発明は、その好ましい実施形態という観点から記述されたが、本発明はそのように限定されることは意図されておらず、以下の請求項において記述される範囲にのみ制限される。さらに、第１、第２などの用語の使用は、いかなる重要度も示しておらず、むしろ第１、第２などの用語は、１つの要素を別の要素から区別するために使用される。さらにａ、ａｎなどの使用は、数量の制限を示しておらず、むしろ言及される項目のうちの少なくとも１つが存在していることを示している。それに加えて、上側、下側などの指向性の用語は、いかなる特定の配向も示しておらず、むしろ上側、下側などの用語は、１つの要素を別の要素から区別し、様々な要素間の関係を位置的に確立するために使用される。
【符号の説明】
【００３２】
１０、１１０  ケーブル保持装置
１２、１１２  ケーブル
１４、１１４  本体
１６、１１６  長手方向軸線
１８、１１８  中央部分
２０、１２０  通路
２２  Ｕ字形状
２４、１２４  遠位部分
２６、１２６  スロット
２８、１２８  第１の端部
３０、１３０  第２の端部
３２、１３２  ケーブル保持バンド
３４、１３４  ケーブルタイ
３６、１３６  ヘッド
３８、１３８  テール
４０  隆起部
４２、１４２  外表面
４４Ａ〜４４Ｃ  取付け機構
４６  第１のフランジ
４８  第２のフランジ
５０、１５０  ケーブルアセンブリ
１５２  下側シェル
１５４  第１の上側シェル
１５６  第１のヒンジ
１５８  第２の上側シェル
１６０  第２のヒンジ
１６２  第１の部分
１６４  第２の部分
１６６  ロックタブ
１６８  ロック傾斜部
１７０  矩形ファセット
【図１】
2019007620.tif 000003
【図２】
2019007620.tif 000004
【図３】
2019007620.tif 000005
【図４Ａ】
2019007620.tif 000006
【図４Ｂ】
2019007620.tif 000007
【図４Ｃ】
2019007620.tif 000008
【図５Ａ】
2019007620.tif 000009
【図５Ｂ】
2019007620.tif 000010
【図５Ｃ】
2019007620.tif 000011
【外国語明細書】
2019007620000001.pdf